(57)【要約】【課題】システムキッチン組み込み式冷蔵庫に関し、システムキッチンの無効空間を有効に使いシステムキッチン全体の収納効率を高めた冷蔵庫を提供する。【解決手段】食器洗い乾燥機１１の下部に給排水管の収納部１１ａを有し、システムキッチン組み込み式冷蔵庫１３の冷却ユニット部１２を収納部１１ａ内に配設しているので、通常、無効空間となっている給排水管の収納部１１ａを有効利用することができ、システムキッチン全体の収納効率を高めることができる。【選択図】図３
2005224489.tif 000002
【特許請求の範囲】
【請求項１】
システムキッチンの一区画に設けた給排水管収納部に冷却ユニット部を配設し、前記冷却ユニット部に隣接する空間に断熱壁で囲まれた冷却スペース部を設けたことを特徴とするシステムキッチン組み込み式冷蔵庫。
【請求項２】
冷却ユニット部と冷却スペース部は分割可能に組み込んだことを特徴とする請求項１に記載のシステムキッチン組み込み式冷蔵庫。
【請求項３】
冷却ユニット部と冷却スペース部を左右に並べてシステムキッチンの最下部に配置したことを特徴とする請求項１または２に記載のシステムキッチン組み込み式冷蔵庫。
【請求項４】
システムキッチンの一区画に食器洗い乾燥機を備え、前記食器洗い乾燥機の下部の給排水管収納部に冷却ユニット部を収納したことを特徴とする請求項１から３のいずれか一項に記載のシステムキッチン組み込み式冷蔵庫。
【請求項５】
冷却ユニット部の放熱のためのダクトは、吸気用と排気用に分割されており、吸気用ダクト側に埃除去用のフィルターを配設したことを特徴とする請求項１から４のいずれか一項に記載のシステムキッチン組み込み式冷蔵庫。
【請求項６】
吸気用あるいは排気用ダクトの経路中に空気清浄装置を配設したことを特徴とする請求項１から５のいずれか一項に記載のシステムキッチン組み込み式冷蔵庫。
【請求項７】
冷蔵庫の冷却ユニット部にペルチェ素子を利用した電子冷却式としたことを特徴とする請求項1から６のいずれか一項に記載のシステムキッチン組み込み式冷蔵庫。
【発明の詳細な説明】
【技術分野】
【０００１】
本発明はシステムキッチンの一区画の空間に収納できるよう構成した冷蔵庫に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、上部より食器がセットできるタイプのものが増えてきて、キッチンのカウンター高さで食器がセットできる。そのため、食器洗い作業が非常にやりやすくなっている。
【０００３】
しかし、その食器洗い乾燥機の下については、食器洗い乾燥機用の給排水配管があり、例えば、その部分については、嵌め殺しにして無効空間にしている場合がある。また、システムキッチンの他の区画には保冷庫を設置しているものはある（例えば、特許文献１参照）。
【０００４】
図４は、特許文献１に記載されたシステムキッチン用の保冷庫を示すものである。図４に示すように、台所収納体の組付け空間１に組み込まれる外ケース２に出し入れされる容器状の収納体３と,ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、熱交換器用の空気導入経路７と排気経路８等の冷却ユニットをシステムキッチンの収納空間に設ける為、無効空間が増え、システムキッチン全体の収納量が少なくなるという課題を有していた。
【０００６】
本発明は、上記従来の課題を解決するものもので、システムキッチンの一区画に冷蔵庫を収納する場合の無効空間を減らし、システムキッチン全体の収納効率を高めることを目的とする。
【課題を解決するための手段】
【０００７】
上記従来の課題を解決するために、本発明の冷蔵庫は、システムキッチンの一区画に設けた給排水管収納部に冷却ユニット部を配設し、前記冷却ユニット部に隣接する空間に断熱壁で囲まれた冷却スペース部を設けたものである。
【０００８】
これによって、通常は無効空間にしていた給排水管収納部の空間にシステムキッチン組み込み式冷蔵庫の冷却ユニット部を収納することができる。
【発明の効果】
【０００９】
本発明のシステムキッチン組み込み式冷蔵庫は、冷却ユニット部を給排水管収納部の空間に収納することで、システムキッチン全体の収納効率を高めることができる。
【発明を実施するための最良の形態】
【００１０】
請求項１に記載の発明は、システムキッチンの一区画に設けた給排水管収納部に冷却ユニット部を配設し、前記冷却ユニット部に隣接する空間に断熱壁で囲まれた冷却スペース部を設けたものであり、冷却ユニット部を給排水管収納部の空間に収納することで、無効空間の有効利用により、システムキッチン全体の収納効率を高めることができる。
【００１１】
請求項２に記載の発明は、請求項１に記載の発明において、冷却ユニット部と冷却スペース部は分割可能に組み込んだものであり、システムキッチンの無効空間に冷却ユニットを配設することができるとともに、組み込み時の作業性の向上、サービス性の向上が図れる。
【００１２】
請求項３に記載の発明は、請求項１または２に記載の発明において、冷却ユニット部と冷却スペース部を左右に並べてシステムキッチンの最下部に配置したものであり、システムキッチン最下部の無効空間を有効利用することができる。
【００１３】
請求項４に記載の発明は、請求項１から３のいずれか一項に記載の発明において、システムキッチンの一区画に食器洗い乾燥機を備え、前記食器洗い乾燥機の下部の給排水管収納部に冷却ユニット部を収納したものであり、システムキッチンに食器洗い乾燥機を備えた場合の無効空間を有効利用することができ、システムキッチン全体の収納効率を高めることができる。
【００１４】
請求項５に記載の発明は、請求項１から４のいずれか一項に記載の発明において、冷却ユニット部の放熱のためのダクトは、吸気用と排気用に分割されており、吸気用ダクト側に埃除去用のフィルターを配設したものであり、冷却ユニット部の埃に対する信頼性が高まる。
【００１５】
請求項６に記載の発明は、請求項１から５のいずれか一項に記載の発明において、吸気用あるいは排気用ダクトの経路中に空気清浄装置を配設したものであり、冷蔵庫運転中に台所空間の空気を清浄することができる。
【００１６】
請求項７に記載の発明は、請求項１から６のいずれか一項に記載の発明において、冷蔵庫の冷却ユニット部にペルチェ素子を利用した電子冷却式としたものであり、冷蔵庫の小型化によるシステムキッチン全体の収納効率を高めることができる。また、冷蔵庫の静音化によるシステムキッチン空間の静音化を図ることができる。
【００１７】
以下、本発明の実施の形態について、図面を参照しながら説明する。なお、実施の形態によってこの発明が限定されるものではない。
【００１８】
（実施の形態１）
図１は、本発明の実施の形態１におけるシステムキッチン組立時の冷蔵庫の斜視図、図２はシステムキッチンに同実施の形態の冷蔵庫を設置した時の概略断面図、図３はシステムキッチンに同実施の形態の冷蔵庫を設置した時の正面概略図である。
【００１９】
図において、システムキッチンは奥行き・幅・高さなどで様々な種類があり、調理などをするワークトップ９はシステムキッチンの外枠１０−Ａ、１０−Ｂの上部に構成されており、システムキッチン外枠１０−Ａ、１０−Ｂ内にビルトインされた食器洗い乾燥機１１を有する。そして、食器洗い乾燥機１１の下部に給排水管（図示せず）の収納部１１ａを有し、システムキッチン組み込み式冷蔵庫１３の冷却ユニット部１２を収納部１１ａ内に配設している。また、システムキッチン組み込み式冷蔵庫１３の冷却スペース部１３ａは周囲を断熱壁（図示せず）で構成し、冷却ユニット部１２と冷却スペース部１３ａは左右に並べてシステムキッチンの最下部の外枠１３−Ｂの蹴込み部に配置している。そして、冷却ユニット部１２と冷却スペース部１３ａは、それぞれ分割可能に前方より組み込んでいる。また、冷却スペース部１３ａの内部には収納容器１７を引き出し可能に備え、前方には冷蔵庫ドア１４を有し、冷蔵庫ドア１４は、システムキッチン外観を統一するためなどに用いられる意匠パネルドア１５と冷蔵庫１３の庫内を断熱するためのドア断熱材１６を組み合わせて構成されている。
【００２０】
また、冷却スペース部１３ａと冷却ユニット部１２の連接部には連通口Ａ１８と連通口Ｂ１９を有し、連通口Ａ１８は一方を冷却スペース部１３ａに臨み、他方をペルチェ素子２０の冷却側とヒートコンダクタ２３を介して有する冷却器２２に臨んでいる。また、連通口Ｂ１９は一方を冷却器２２に臨み、他方を冷却スペース部１３ａに臨み、連通口Ａ１８または連通口Ｂ１９の内部には庫内ファンモーター２１を備えている。
【００２１】
また、冷却ユニット部１２は、ペルチェ素子２０の放熱側から出された熱を排熱するための高温側の放熱器２４と、放熱器２４の排熱を外部へ排気する機械室ファンモーター２５を有し、さらに放熱空間と外枠を仕切るための機械室カバー２６を有し、システムキッチンの外枠１０−Ａと機械室カバー２６により、排気用ダクト２９ａを構成し前方に排熱を行なう。
【００２２】
また、吸気用ダクト２８の前面には放熱器２４への埃付着で放熱低下を防ぐためのフィルター２８ａを備え、その面積を最大限に確保するように配置している。
【００２３】
また、排気用ダクト２９ａの通路内には、空気清浄装置としての脱臭触媒３０を備えている。そして、冷却ユニット部１２の前面に設けた吸気用ダクト２８の入口と排気用ダクト２９ａの出口の両方を覆うように給排気口一体型化粧板２９を設けている。
【００２４】
なお、冷却ユニット部１２のペルチェ素子２０、吸気用ダクト２８、排気用ダクト２９ａ等の構成部品は、食器洗い乾燥機１１下部の収納部１１ａ内で、食器洗い乾燥機１１の給排水管と、前方から冷却ユニット部１２を挿入する時に干渉しないように配置構成している。
【００２５】
上記構成により、本発明のシステムキッチン組み込み式冷蔵庫は、食器洗い乾燥機１１の下部に給排水管の収納部１１ａを有し、システムキッチン組み込み式冷蔵庫１３の冷却ユニット部１２を収納部１１ａ内に配設しているので、通常、無効空間となる給排水管の収納部１１ａを有効利用でき、システムキッチン全体の収納効率を高めることができる。
【００２６】
また、冷却ユニット部１２と冷却スペース部１３ａは、それぞれ分割可能に前方より組み込んでいるので、組み込み時の作業性の向上、サービス性の向上が図れる。
【００２７】
また、システムキッチン組み込み式冷蔵庫１３の冷却スペース部１３ａは周囲を断熱壁で構成し、冷却ユニット部１２と冷却スペース部１３ａは左右に並べてシステムキッチンの最下部の外枠１３−Ｂの蹴込み部に配置しているので、システムキッチン最下部の無効空間を有効利用することができる。
【００２８】
また、吸気用ダクト２８の前面には放熱器２４への埃付着で放熱低下を防ぐためのフィルター２８ａを備えているので、冷却ユニット部１２の埃に対する信頼性が高まる。
【００２９】
また、排気用ダクト２９ａの通路内には、空気清浄装置としての脱臭触媒３０を備えているので、冷蔵庫運転中に台所空間の空気を清浄することができる。
【００３０】
また、システムキッチン組み込み式冷蔵庫１３の冷却ユニット部１２に電子冷却式のペルチェ素子２０を利用したものであり、冷蔵庫の小型化によるシステムキッチン全体の収納効率を高めることができる。また、冷蔵庫の静音化によるシステムキッチン空間の静音化を図ることができる。さらに、ペルチェ素子２０を利用しているので、冷蔵庫１３は、温度の設定により保冷庫や乾燥庫、温蔵庫としても使用することができる。
【００３１】
なお、食器洗い乾燥機１１の下部配管の配置、寸法を考慮して、冷却ユニット部１２の設計を行なえば、冷蔵庫１３は容量を変更せずに取り付けられることができ、配管の設置位置に関係なくビルトイン機器としてシステムキッチンに組み込むことができ、現存するあらゆる配管形状に対応できる。
【産業上の利用可能性】
【００３２】
以上のように、本発明にかかる冷蔵庫は、限られた空間を有効に活用できるので配管に限らず無効空間を有するシステムキッチンのビルトイン冷凍機器に適用できる。
【図面の簡単な説明】
【００３３】
【図１】本発明の実施の形態１におけるシステムキッチン組立時の冷蔵庫の斜視図
【図２】システムキッチンに同実施の形態の冷蔵庫を設置した時の概略断面図
【図３】システムキッチンに同実施の形態の冷蔵庫を設置した時の正面概略図
【図４】従来のシステムキッチン組み込み式保冷庫の斜視図
【符号の説明】
【００３４】
１１    食器洗い乾燥機
１１ａ    収納部
１２    冷却ユニット部
１３    システムキッチン組み込み式冷蔵庫
１３ａ    冷却スペース部
２０    ペルチェ素子
２８    吸気用ダクト
２８ａ    フィルター
２９ａ    排気用ダクト
３０    脱臭触媒
【図１】
2005224489.tif 000003
【図２】
2005224489.tif 000004
【図３】
2005224489.tif 000005
【図４】
2005224489.tif 000006